(57)【特許請求の範囲】
【請求項１】
ユーザ端末であって、
前記ユーザ端末の近傍に存在する他のユーザ端末を発見するための発見用信号を送信するための情報を基地局へ送信する送信部と、
前記基地局から、前記発見用信号を送信する際に用いられる無線リソースの情報と、前記発見用信号を送信する際に用いられる送信電力の情報とを受信する受信部と、を備えるユーザ端末。
【請求項２】
ユーザ端末を制御するプロセッサであって、
前記ユーザ端末の近傍に存在する他のユーザ端末を発見するための発見用信号を送信するための情報を基地局へ送信する処理と、
前記基地局から、前記発見用信号を送信する際に用いられる無線リソースの情報と、前記発見用信号を送信する際に用いられる送信電力の情報とを受信する処理と、を実行するプロセッサ。
【請求項３】
ユーザ端末の近傍に存在する他のユーザ端末を発見するための発見用信号を送信するための情報を前記ユーザ端末から受信する受信部と、
前記ユーザ端末が前記発見用信号を送信する際に用いる無線リソースの情報と、前記ユーザ端末が前記発見用信号を送信する際に用いる送信電力の情報と、を前記ユーザ端末に送信する送信部と、を備える基地局。
【請求項４】
基地局を制御するプロセッサであって、
ユーザ端末の近傍に存在する他のユーザ端末を発見するための発見用信号を送信するための情報を前記ユーザ端末から受信する処理と、
前記ユーザ端末が前記発見用信号を送信する際に用いる無線リソースの情報と、前記ユーザ端末が前記発見用信号を送信する際に用いる送信電力の情報と、を前記ユーザ端末に送信する処理と、を実行するプロセッサ。
【発明の詳細な説明】
【技術分野】
【０００１】
本発明は、ユーザ端末、プロセッサ、及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信は、近接する複数のユーザ端末が、移動通信システムに割り当てられた周波数帯域内で直接的な無線通信を行うものである。なお、Ｄ２Ｄ通信は、近傍サービス（Ｐｒｏｘｉｍｉｔｙ  Ｓｅｒｖｉｃｅ）通信と称されることもある。
【０００４】
ユーザ端末は、Ｄ２Ｄ通信における通信相手端末を発見するために、発見用信号を送信する。発見用信号を受信した他のユーザ端末が応答信号をユーザ端末に送信することにより、ユーザ端末は、Ｄ２Ｄ通信における通信相手端末を発見することができる。
【先行技術文献】
【非特許文献】
【０００５】
【非特許文献１】３ＧＰＰ技術報告  「ＴＲ  ２２．８０３  Ｖ０．３．０」  ２０１２年５月
【発明の概要】
【０００６】
しかしながら、ユーザ端末の近傍に他のユーザ端末が存在しない場合には、ユーザ端末がいくら発見用信号を送信しても、Ｄ２Ｄ通信における通信相手端末を発見することはできない。従って、ユーザ端末が、無駄な発見用信号を送信してしまうという問題がある。
【０００７】
そこで、本発明は、適切なタイミングで発見用信号を送信可能な移動通信システム、ユーザ端末、基地局及びプロセッサを提供する。
【０００８】
一実施形態によれば、ユーザ端末は、前記ユーザ端末の近傍に存在する他のユーザ端末を発見するための発見用信号を送信するための情報を基地局へ送信する送信部と、前記基地局から、前記発見用信号を送信する際に用いられる無線リソースの情報と、前記発見用信号を送信する際に用いられる送信電力の情報とを受信する受信部と、を備える。
【図面の簡単な説明】
【０００９】
【図１】図１は、ＬＴＥシステムの構成図である。
【図２】図２は、ＵＥのブロック図である。
【図３】図３は、ｅＮＢのブロック図である。
【図４】図４は、セルラ通信におけるデータパスを示す図である。
【図５】図５は、Ｄ２Ｄ通信におけるデータパスを示す図である。
【図６】図６Ａ及び図６Ｂは、第１実施形態に係るＵＥ１００−１及びＵＥ１００−２の動作例を示す図である。
【図７】図７Ａは、隣接セルリストの一例を示す図である。図７Ｂは、通信端末リストの一例を示す図である。
【図８】図８は、第１実施形態に係る移動通信システムの動作例を示すシーケンス図である。
【図９】図９は、第１実施形態の変形例１に係る移動通信システムの動作例を示すシーケンス図である。
【図１０】図１０は、第１実施形態の変形例２に係る移動通信システムの動作例を示すシーケンス図である。
【図１１】図１１は、第１実施形態の変形例３に係る移動通信システムの動作例を示すシーケンス図である。
【図１２】図１２Ａ及び図１２Ｂは、第２実施形態に係るＵＥ１００−１及びＵＥ１００−２の動作例を示す図である。
【図１３】図１３は、第２実施形態に係る移動通信システムの動作例を示すシーケンス図である。
【図１４】図１４は、第２実施形態の変形例に係る移動通信システムの動作例を示すシーケンス図である。
【図１５】図１５は、第３実施形態に係る移動通信システムの動作例を示すシーケンス図である。
【図１６】図１６は、第３実施形態の変形例に係る移動通信システムの動作例を示すシーケンス図である。
【発明を実施するための形態】
【００１０】
［実施形態の概要］
実施形態に係る移動通信システムは、セル（例えば、セル２５０−１）を管理する基地局（例えば、ｅＮＢ２００−１）と、前記セルに接続可能なユーザ端末（例えば、ＵＥ１００−１）と、前記ユーザ端末と前記基地局を介して通信できる他のユーザ端末（例えば、ＵＥ１００−２）と、を有し、直接的な端末間通信であるＤ２Ｄ通信をサポートする。前記ユーザ端末が前記セルに隣接する隣接セル（例えば、セル２５０−２）に接続する前記他のユーザ端末と通信を行っている間に、前記ユーザ端末と前記他のユーザ端末とが近傍に存在すると判断された場合には、前記ユーザ端末は、前記Ｄ２Ｄ通信のための発見用信号の送信を開始する。これにより、ユーザ端末と他のユーザ端末とが近傍に存在すると判断された場合、他のユーザ端末は、ユーザ端末から送信された発見用信号を受信する可能性が高い。従って、ユーザ端末は、無駄な発見用信号を送信せずに済み、発見用信号を適切なタイミングで送信できる。
【００１１】
第１及び第２実施形態において、前記基地局（例えば、ｅＮＢ２００−１）は、前記他のユーザ端末（例えば、ＵＥ１００−２）が接続する接続セル（例えば、セル２５０−２）を示すセル識別情報を前記ユーザ端末に送信し、前記ユーザ端末は、前記セル識別情報に基づいて、前記ユーザ端末と前記他のユーザ端末とが近傍に存在するか否かを判断する。これにより、ユーザ端末自身がセル識別情報に基づいて判断するため、ユーザ端末は、発見用信号を適切なタイミングで送信できる。
【００１２】
第１実施形態において、前記ユーザ端末（ＵＥ１００−１）は、前記他のユーザ端末（ＵＥ１００−２）が接続する接続セル（セル２５０−２）にハンドオーバを実行した場合に、前記ユーザ端末と前記他のユーザ端末とが近傍に存在すると判断する。これにより、ユーザ端末と他のユーザ端末とが同一のセルに存在するため、他のユーザ端末は、ユーザ端末の近傍にいる可能性が高い。従って、他のユーザ端末がユーザ端末から送信された発見用信号を受信する可能性が高く、ユーザ端末は、発見用信号を適切なタイミングで送信できる。
【００１３】
第１実施形態において、前記ユーザ端末（ＵＥ１００−１）は、前記接続セル（セル２５０−２）から送信される参照信号の受信レベルが所定の閾値に達した場合に、前記ユーザ端末と前記他のユーザ端末（ＵＥ１００−２）とが近傍に存在すると判断する。これにより、ユーザ端末は、ハンドオーバを実行していない場合であっても、他のユーザ端末が接続する接続セルに存在すると判断可能な場合に、発見用信号を送信できるため、ユーザ端末は、発見用信号を適切なタイミングで送信できる。
【００１４】
第１実施形態において、前記所定の閾値は、前記参照信号の受信レベルに関する測定値を前記基地局（ｅＮＢ２００−１）に報告するトリガーとなる閾値である。測定値の報告のトリガーは、ハンドオーバの実行の目安として利用されるため、ユーザ端末は、他のユーザ端の接続セルに存在又は、他のユーザ端の接続セルの近傍に存在しているため、ユーザ端末と他のユーザ端末とが近傍に存在する可能性が高い。従って、ユーザ端末は、発見用信号を適切なタイミングで送信できる。
【００１５】
第１実施形態において、前記所定の閾値は、前記基地局（ｅＮＢ２００−１）が指定した閾値である。これにより、基地局は、発見用信号の送信タイミングを制御することができる。
【００１６】
実施形態において、前記基地局（例えば、ｅＮＢ２００−１）は、前記発見用信号を送信する際に用いられる無線リソースの情報及び／又は送信電力の情報を含む関連情報を前記ユーザ端末（例えば、ＵＥ１００−１）に送信し、前記ユーザ端末は、前記関連情報に対応した前記発見用信号を送信する。これにより、発見用信号がユーザ端末の近傍に存在する別のユーザ端末への干渉信号となることを抑制できる。
【００１７】
第１実施形態において、前記隣接セル（セル２５０−２）は、前記基地局（ｅＮＢ２００−１）に隣接する隣接基地局（ｅＮＢ２００−２）によって管理され、前記隣接基地局は、前記ユーザ端末（ＵＥ１００−１）が前記隣接セルにハンドオーバを実行した場合に、前記発見用信号を送信する際に用いられる無線リソースの情報及び／又は送信電力の情報を含む関連情報を前記ユーザ端末に送信する。これにより、隣接セルにハンドオーバを実行したユーザ端末は、隣接セルを管理する隣接基地局から関連情報を受信するため、基地局から関連情報を受信する場合に比べて、関連情報を確実に受信することができる。
【００１８】
第１実施形態において、前記基地局（ｅＮＢ２００−１）は、前記関連情報を前記セル識別情報と共に送信する。これにより、ユーザ端末は、受信したセル識別情報に基づいて、他のユーザ端末が近傍に存在すると判断した場合に、セル識別情報と共に送信された関連情報を用いて発見用信号の送信を開始することが可能となる。
【００１９】
第１実施形態において、前記基地局（ｅＮＢ２００−１）は、前記ユーザ端末（ＵＥ１００−１）から前記関連情報の要求があった場合に、前記関連情報を送信する。これにより、基地局は、必要な場合にのみ関連情報を送信すればよいため、基地局の負荷を低減させることができる。
【００２０】
第２実施形態において、前記基地局（ｅＮＢ２００−２）は、前記他のユーザ端末（ＵＥ１００−１）がハンドオーバを実行した場合に、前記セル識別情報を前記ユーザ端末（ＵＥ１００−２）に送信する。これにより、ユーザ端末は、他のユーザ端末の接続先が変更したと判断できるため、他のユーザ端末がハンドオーバを実行する前のセル識別情報に基づいて、ユーザ端末と他のユーザ端末とが近傍に存在しているという誤った判断をすることがなくなる。従って、ユーザ端末は、無駄な発見用信号を送信せずに済み、ユーザ端末は、発見用信号を適切なタイミングで送信できる。
【００２１】
第３実施形態において、前記基地局（ｅＮＢ２００−２）は、前記ユーザ端末（ＵＥ１００−２）と前記他のユーザ端末（ＵＥ１００−１）とが近傍に存在した場合に、前記ユーザ端末と前記他のユーザ端末とが近傍に存在することを示す情報又は前記発見用信号を送信させるための要求を前記ユーザ端末に送信し、前記ユーザ端末は、前記情報又は前記要求に基づいて、前記Ｄ２Ｄ通信のための発見用信号の送信を開始する。これにより、基地局は、発見用信号の送信タイミングを制御することができる。
【００２２】
実施形態において、前記ユーザ端末（例えば、ＵＥ１００−１）は、前記発見用信号を送信するタイミングと前記基地局（例えば、ｅＮＢ２００−１）にデータを送信するタイミングとが重なった場合に、前記基地局に前記データを優先的に送信する。これにより、発見用信号の送信と、基地局へのデータ送信とが同時にできないユーザ端末であっても、基地局にデータを優先的に送信させることができるため、他のユーザ端末との通信を妨げずに、発見用信号を送信できる。
【００２３】
実施形態において、セル（例えば、セル２５０−１）を管理する基地局（例えば、ｅＮＢ２００−１）と、前記セルに接続可能なユーザ端末（例えば、ＵＥ１００−１）と、前記ユーザ端末と前記基地局を介して通信できる他のユーザ端末（例えば、ＵＥ１００−２）と、を有し、直接的な端末間通信であるＤ２Ｄ通信をサポートする移動通信システムにおける前記ユーザ端末は、前記セルに隣接する隣接セル（例えば、セル２５０−２）に接続する前記他のユーザ端末と前記基地局を介して通信を行っている間に、前記ユーザ端末と前記他のユーザ端末とが近傍に存在すると判断された場合には、前記Ｄ２Ｄ通信のための発見用信号の送信を開始する制御部を有する。
【００２４】
実施形態において、セル（例えば、セル２５０−１）を管理する基地局（例えば、ｅＮＢ２００−１）と、前記セルに接続可能なユーザ端末（例えば、ＵＥ１００−１）と、前記ユーザ端末と前記基地局を介して通信できる他のユーザ端末（例えば、ＵＥ１００−２）と、を有し、直接的な端末間通信であるＤ２Ｄ通信をサポートする移動通信システムにおける前記基地局は、前記ユーザ端末が前記セルに隣接する隣接セル（例えば、セル２５０−２）に接続する前記他のユーザ端末と前記基地局を介して通信を行っている間に、前記他のユーザ端末と接続する接続セル（例えば、セル２５０−２）に関連する接続セル情報又は前記Ｄ２Ｄ通信のための発見用信号を送信させるための要求を前記ユーザ端末に送信する制御部を有し、前記接続セル情報及び前記要求は、前記ユーザ端末が前記発見用信号を送信するために用いられる。
【００２５】
実施形態において、前記接続セル情報は、前記接続セル（例えば、セル２５０−２）を示すセル識別情報又は／及び前記ユーザ端末（例えば、ＵＥ１００−１）と前記他のユーザ端末（例えば、ＵＥ１００−２）とが近傍に存在することを示す情報を含む。
【００２６】
実施形態において、セル（例えば、セル２５０−１）を管理する基地局（例えば、ｅＮＢ２００−１）と、前記セルに接続可能なユーザ端末（例えば、ＵＥ１００−１）と、前記ユーザ端末と前記基地局を介して通信できる他のユーザ端末（例えば、ＵＥ１００−２）と、を有し、直接的な端末間通信であるＤ２Ｄ通信をサポートする移動通信システムにおける前記ユーザ端末に備えられるプロセッサ（プロセッサ１６０）は、前記ユーザ端末が前記セルに隣接する隣接セル（例えば、セル２５０−２）に接続する前記他のユーザ端末と前記基地局を介して通信を行っている間に、前記ユーザ端末と前記他のユーザ端末とが近傍に存在すると判断された場合には、前記Ｄ２Ｄ通信のための発見用信号を送信する処理を開始する。
【００２７】
実施形態において、セル（例えば、セル２５０−１）を管理する基地局（例えば、ｅＮＢ２００−１）と、前記セルに接続可能なユーザ端末（例えば、ＵＥ１００−１）と、前記ユーザ端末と前記基地局を介して通信できる他のユーザ端末（例えば、ＵＥ１００−２）と、を有し、直接的な端末間通信であるＤ２Ｄ通信をサポートする移動通信システムにおける前記基地局に備えられるプロセッサ（プロセッサ２４０）は、前記ユーザ端末が前記セルに隣接する隣接セル（例えば、セル２５０−２）に接続する前記他のユーザ端末と前記基地局を介して通信を行っている間に、前記他のユーザ端末と接続する接続セルに関連する接続セル情報又は前記Ｄ２Ｄ通信のための発見用信号を送信させるための要求を前記ユーザ端末に送信する処理を実行し、前記接続セル情報及び前記要求は、前記ユーザ端末が前記発見用信号を送信するために用いられる。
【００２８】
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２９】
［第１実施形態］
以下、第１実施形態について、説明する。
【００３０】
（ＬＴＥシステム）
図１は、本実施形態に係るＬＴＥシステムの構成図である。
【００３１】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００３２】
ＵＥ１００は、移動型の無線通信装置であり、接続を確立したセル（サービングセル）との無線通信を行う。ＵＥ１００はユーザ端末に相当する。
【００３３】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３４】
なお、「セル」は、無線通信エリアの最小単位を示す用語として使用される他に、ＵＥ１００との無線通信を行う機能を示す用語としても使用される。
【００３５】
ｅＮＢ２００は、例えば、無線リソース管理（ＲＲＭ）機能と、ユーザデータのルーティング機能と、モビリティ制御及びスケジューリングのための測定制御機能と、を有する。
【００３６】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３７】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３８】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３９】
ＯＡＭ４００は、オペレータによって管理されるサーバ装置であり、Ｅ−ＵＴＲＡＮ１０の保守及び監視を行う。
【００４０】
次に、ＵＥ１００及びｅＮＢ２００の構成を説明する。
【００４１】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００４２】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４３】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４５】
ＧＮＳＳ受信機１３０は、ＵＥ１００の地理的な位置を示す位置情報を得るために、ＧＮＳＳ信号を受信して、受信した信号をプロセッサ１６０に出力する。
【００４６】
バッテリ１４０は、ＵＥ１００の各ブロックに供給すべき電力を蓄える。
【００４７】
メモリ１５０は、プロセッサ１６０によって実行されるプログラムと、プロセッサ１６０による処理に使用される情報と、を記憶する。
【００４８】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４９】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００５０】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５２】
メモリ２３０は、プロセッサ２４０によって実行されるプログラムと、プロセッサ２４０による処理に使用される情報と、を記憶する。
【００５３】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５４】
（Ｄ２Ｄ通信）
次に、ＬＴＥシステムの通常の通信（セルラ通信）とＤ２Ｄ通信とを比較して説明する。
【００５５】
図４は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００５６】
図４に示すように、セルラ通信のデータパスはネットワークを経由する。詳細には、ｅＮＢ２００−１、Ｓ−ＧＷ３００、及びｅＮＢ２００−２を経由するデータパスが設定される。
【００５７】
図５は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００５８】
図５に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。なお、Ｌｏｃａｌｌｙ  Ｒｏｕｔｅｄというモード（局所中継モード）では、データパスがＳ−ＧＷ３００を経由せずにｅＮＢ２００を経由する。
【００５９】
なお、Ｄ２Ｄ通信が開始されるケースとして、（ａ）相手端末を発見するための動作を行うことによって相手端末を発見した後に、Ｄ２Ｄ通信が開始されるケースと、（ｂ）相手端末を発見するための動作を行わずにＤ２Ｄ通信が開始されるケースがある。
【００６０】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００６１】
このケースの場合、ＵＥ１００は、相手端末を発見するために、自身の近傍に存在する他のＵＥ１００を発見する（Ｄｉｓｃｏｖｅｒ）機能、及び／又は、ＵＥ１００は、他のＵＥ１００から発見される(Ｄｉｓｃｏｖｅｒａｂｌｅ)機能を有する。
【００６２】
具体的には、ＵＥ１００−１は、相手端末を発見するため又は相手端末に発見されるために用いられる発見用信号（Ｄｉｓｃｏｖｅｒｙ信号／Ｄｉｓｃｏｖｅｒａｂｌｅ信号）を送信する。発見用信号を受信したＵＥ１００−２は、ＵＥ１００−１を発見する。ＵＥ１００−２は、発見用信号に対する応答を送信することで、発見用信号を送信したＵＥ１００−１は、相手端末であるＵＥ１００−１を発見する。
【００６３】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。なお、ＵＥ１００−１は、相手端末を発見した後にＤ２Ｄ通信を行わなかった場合、上位レイヤ（例えば、アプリケーションなど）に近傍のＵＥ１００（すなわち、ＵＥ１００−２）の発見を報告してもよい。例えば、アプリケーションは、当該報告に基づく処理（例えば、ＵＥ１００−２の位置を地図情報にプロットする処理など）を実行できる。
【００６４】
また、ＵＥ１００は、相手端末を発見したことをｅＮＢ２００に報告し、相手端末との通信をセルラ通信によって行うかＤ２Ｄ通信によって行うかの指示をｅＮＢ２００から受けることも可能である。
【００６５】
一方、上記（ｂ）のケースでは、例えば、ＵＥ１００−１は、相手端末を特定せずに、Ｄ２Ｄ通信用の信号の送信（ブロードキャストによる報知など）を開始する。これにより、ＵＥ１００は、相手端末の発見の有無にかかわらず、Ｄ２Ｄ通信を開始できる。なお、Ｄ２Ｄ通信用の信号の待ち受け動作を行っているＵＥ１００−２は、ＵＥ１００−１からの当該信号に基づいて、同期又は／及び復調を行う。
【００６６】
（第１実施形態に係る移動通信システムの動作）
次に、第１実施形態に係る移動通信システムの動作について、図６及び図７を用いて説明する。
【００６７】
図６Ａ及び図６Ｂは、第１実施形態に係るＵＥ１００−１及びＵＥ１００−２の動作例を示す図である。具体的には、図６Ａは、ＵＥ１００−１が移動する前の状態を示す図であり、図６Ｂは、ＵＥ１００−１が移動した後の状態を示す図である。
【００６８】
図６Ａに示すように、ＵＥ１００−１は、ｅＮＢ２００−１が管理するセル２５０−１に接続している。ＵＥ１００−２は、ｅＮＢ２００−２が管理するセル２５０−２に接続している。ｅＮＢ２００−１及びｅＮＢ２００−２は、Ｓ１インターフェイスを介してＭＭＥ／Ｓ−ＧＷ３００と接続される。ＵＥ１００−１及びＵＥ１００−２は、ｅＮＢ２００−１及びｅＮＢ２００−２を介して通信（いわゆるセルラ通信）を行っている。なお、図６Ａ及び図６Ｂは、ｅＮＢ２００−１及びｅＮＢ２００−２が、Ｓ１インターフェイスを介してＭＭＥ／Ｓ−ＧＷ３００と接続されている例を示しているが、ｅＮＢ２００−１及びｅＮＢ２００−２が、Ｘ２インターフェイスを介して接続されている例であってもよい。
【００６９】
本実施形態では、図６Ａに示すように、ＵＥ１００−１がセル２５０−２の方向へ移動し、図６Ｂに示すように、ＵＥ１００−１がセル２５０−２にハンドオーバを実行した後に、発見用信号（以下、Ｄｉｓｃｏｖｅｒｙ信号と称する）を送信したと仮定して説明する。
【００７０】
ここで、ｅＮＢ２００−１は、隣接セルリスト及び通信端末リストを有する。すなわち、ｅＮＢ２００−１のメモリ２３０には、隣接セルリスト及び通信端末リストが記憶されている。ｅＮＢ２００−２も同様に、隣接セルリスト及び通信端末リストを有する。
【００７１】
図７Ａは、隣接セルリストの一例を示す図である。図７Ｂは、通信端末リストの一例を示す図である。
【００７２】
隣接セルリストは、ｅＮＢ２００が管理するセル（以下、自セルと適宜称する）に隣接する隣接セルを、ｅＮＢ２００が把握するためのリストである。隣接セルリストには、自セルに隣接する隣接セルを示す情報（隣接セルＩＤ）が記録される。例えば、図７Ａに示されるように、ｅＮＢ２００−１が有する隣接セルリスト（図７Ａの左側）には、自セルであるセル２５０−１に隣接する隣接セルとして、セル２５０−２が記録される。ｅＮＢ２００−２が有する隣接セルリスト（図７Ａの右側)には、自セル２５０−２に隣接する隣接セルとして、セル２５０−１が記録される。
【００７３】
通信端末リストは、自セルに接続するＵＥ１００がｅＮＢ２００を介して他のＵＥ１００と通信を行っている場合に、ｅＮＢ２００が、自セルに接続するＵＥ１００を把握するためのリストである。通信端末リストには、自セルに接続し、かつ、通信中のＵＥ１００を示す情報（通信ＵＥＩＤ）、通信中のＵＥ１００の通信相手である通信相手ＵＥ１００を示す情報（通信相手ＵＥＩＤ）、及び、通信相手ＵＥ１００が接続しているセルを示す情報（通信相手接続セルＩＤ）が記録される。例えば、図７Ｂに示されるように、ｅＮＢ２００−１が有する通信端末リスト（図７Ｂの上側）には、自セル(セル２５０-１)に接続し、かつ、通信中のＵＥ１００として、ＵＥ１００−１が記録され、通信中のＵＥ１００（ＵＥ１００−１）の通信相手ＵＥ１００として、ＵＥ１００−２が記録され、通信相手ＵＥ１００（ＵＥ１００−２）が接続しているセルとして、セル２５０−２が記録される。ｅＮＢ２００−２が有する通信端末リスト(図７Ｂの下側)には、自セル（セル２５０−２）に接続し、かつ、通信中のＵＥ１００として、ＵＥ１００−２が記録され、通信中のＵＥ１００（ＵＥ１００−２）の通信相手ＵＥ１００として、ＵＥ１００−１が記録され、通信相手ＵＥ（ＵＥ１００−１）が接続しているセルとしてセル２５０−１が記録される。
【００７４】
なお、通信端末リストには、自セルに接続し、かつ、通信中のＵＥ１００の全てを示す情報が記録されなくてもよい。例えば、通信端末リストには、通信相手ＵＥ１００の接続セルが隣接セルである場合における通信中のＵＥ１００の情報及びこれに対応する情報（通信相手ＵＥＩＤ及び通信相手接続セルＩＤ）のみが記録されてもよい。すなわち、自セルに接続するＵＥ１００の通信相手が隣接セルと接続していない場合は、自セルに接続し、かつ、通信中のＵＥ１００であっても通信端末リストに記録されなくてもよい。
【００７５】
ｅＮＢ２００は、自セルに接続するＵＥ１００の通信相手ＵＥ１００を認識してない場合（通信相手ＵＥが不明である場合）には、上位装置であるＭＭＥに問い合わせてもよいし、自セルに接続するＵＥ１００に問い合わせてもよい。また、ｅＮＢ２００は、自セルに接続するＵＥ１００の通信相手ＵＥ１００が接続しているセルを認識していない場合（自セルに接続するＵＥ１００の通信相手ＵＥ１００が接続しているセルが不明である場合）には、上位装置であるＭＭＥに問い合わせてもよい。
【００７６】
ＵＥ１００−１の通信が終了した場合には、通信が終了したＵＥ１００−１に関する情報は、通信管理リストから削除される。
【００７７】
次に、第１実施形態に係る移動通信システムの具体的な動作を説明する。図８は、第１実施形態に係る移動通信システムの動作例を示すシーケンス図である。
【００７８】
図８に示すように、ステップ１０１において、ｅＮＢ２００−１及びｅＮＢ２００−２は、Ｘ２インターフェイス又はＳ１インターフェイスを介して通信端末情報を交換する。具体的には、ｅＮＢ２００−１は、ｅＮＢ２００−１の隣接セルリストに記録された隣接セル２５０−２を管理するｅＮＢ２００−２に、ｅＮＢ２００−１の通信端末リストに記録された情報に基づく通信端末情報を送信する。同様に、ｅＮＢ２００−２は、ｅＮＢ２００−２の隣接セルリストに記録された隣接セル２５０−１を管理するｅＮＢ２００−１に、ｅＮＢ２００−２の通信端末リストに記録された情報に基づく通信端末情報を送信する。
【００７９】
ここで、通信端末情報は、自セルに接続し、かつ、セルラ通信中のＵＥ１００及び当該ＵＥ１００が接続するセルを示す情報である。ｅＮＢ２００は、通信端末情報として、自セルに接続するＵＥ１００の通信相手である他のＵＥ１００を示す情報及び他のＵＥ１００の接続セルを示す情報も共に送信してもよい。
【００８０】
ｅＮＢ２００−１及びｅＮＢ２００−２は、受信した通信端末情報を基に、それぞれが有する通信端末リストを更新する。
【００８１】
ステップ１０２において、ｅＮＢ２００−１は、ＵＥ１００−１にＤｉｓｃｏｖｅｒｙ関連情報を送信する。ＵＥ１００−１は、Ｄｉｓｃｏｖｅｒｙ関連情報を受信する。
【００８２】
ここで、Ｄｉｓｃｏｖｅｒｙ関連情報は、Ｄｉｓｃｏｖｅｒｙ信号を送信する際に用いられる無線リソースの情報及び／又は送信電力の情報を含む情報である。Ｄｉｓｃｏｖｅｒｙ信号を送信する際に用いられる無線リソースの情報は、時間リソースの情報及び周波数リソースの情報の少なくとも一方を含む。なお、ｅＮＢ２００−１は、Ｄｉｓｃｏｖｅｒｙ信号がセル２５０−１又は／及びセル２５０−２に接続されたＵＥ１００への干渉信号とならないような無線リソース及び送信電力を選択して、Ｄｉｓｃｏｖｅｒｙ関連情報に含める。
【００８３】
本実施形態において、ｅＮＢ２００−１は、Ｄｉｓｃｏｖｅｒｙ関連情報をブロードキャストで送信する。例えば、ｅＮＢ２００−１は、システム情報ブロック（ＳＩＢ）にＤｉｓｃｏｖｅｒｙ関連情報を含めて送信する。システム情報ブロック（ＳＩＢ）にＤｉｓｃｏｖｅｒｙ関連情報を含めることにより、ＵＥ１００−１は、アイドル状態においてもＤｉｓｃｏｖｅｒｙ関連情報を受信できる。なお、ｅＮＢ２００−１は、Ｄｉｓｃｏｖｅｒｙ関連情報をユニキャストで送信してもよい。
【００８４】
ステップ１０３において、ｅＮＢ２００−１は、ＵＥ１００−１にセル識別情報を送信する。
【００８５】
ここで、セル識別情報は、ＵＥ１００−１と通信中のＵＥ１００−２が接続する接続セルを示す情報である。本実施形態において、ｅＮＢ２００−１が送信するセル識別情報には、ＵＥ１００−２が接続するセル２５０−２を示す識別子が含まれる（図７Ｂの「通信相手接続セルＩＤ」の欄参照）。
【００８６】
ｅＮＢ２００−１は、ＵＥ１００−１にセル識別情報を定期的に送信してもよい。例えば、ｅＮＢ２００−１は、ＵＥ１００−１がＵＥ１００−２と通信を開始してから所定時間経過した場合に、セル識別情報を送信してもよいし、通信端末情報に基づいて、ＵＥ１００−２の接続セルがセル２５０−２であることを記録又は更新した場合に、セル識別情報を送信してもよい。
【００８７】
ステップ１０４において、セル２５０−２の方向へ移動したＵＥ１００−１は、セル２５０−２と接続するためにハンドオーバを実行する。これにより、ＵＥ１００−１は、ＵＥ１００−２とｅＮＢ２００−２を介して通信を行う。
【００８８】
ステップ１０５において、ＵＥ１００−１は、ＵＥ１００−１とＵＥ１００−２とが近傍に存在するか否かの判断を行う。本実施形態において、ＵＥ１００−１は、ハンドオーバを実行したことをトリガーとして、ＵＥ１００−１とＵＥ１００−２とが近傍に存在するか否かの判断を行う。ＵＥ１００−１は、ＵＥ１００−２の接続セルにハンドオーバを実行した場合に、ＵＥ１００−１とＵＥ１００−２とが近傍に存在すると判断し、Ｄｉｓｃｏｖｅｒｙ信号を送信すると決定する。
【００８９】
具体的には、ＵＥ１００−１は、ＵＥ１００−１の接続セルとＵＥ１００−２の接続セルとが同一である場合に、ＵＥ１００−１とＵＥ１００−２とが近傍に存在すると判断する。すなわち、ＵＥ１００−１は、ステップ１０３において受信したセル識別情報が示すセル（すなわち、ＵＥ１００−２の接続セル）とＵＥ１００−１の接続セルとが同一であるか判断する。
【００９０】
なお、ＵＥ１００−１がｅＮＢ２００−１からセル識別情報を取得していない場合、ＵＥ１００−１は、ＵＥ１００−１の接続セルとＵＥ１００−２の接続セルとが同一でないと判断する。
【００９１】
ＵＥ１００−１は、ＵＥ１００−１とＵＥ１００−２とが近傍に存在しないと判断した場合（ステップ１０５において、「Ｎｏ」の場合）には、Ｄｉｓｃｏｖｅｒｙ信号の送信を行わない。
【００９２】
一方、ＵＥ１００−１は、ＵＥ１００−１とＵＥ１００−２とが近傍に存在すると判断した場合（ステップ１０５において、「Ｙｅｓ」の場合）には、ステップ１０６の処理を実行する。
【００９３】
ステップ１０６において、ＵＥ１００−１は、Ｄｉｓｃｏｖｅｒｙ信号の送信を開始する。
【００９４】
ＵＥ１００−１は、Ｄｉｓｃｏｖｅｒｙ関連情報を受信している場合には、Ｄｉｓｃｏｖｅｒｙ関連情報に対応したＤｉｓｃｏｖｅｒｙ信号を送信してもよい。具体的には、ＵＥ１００−１は、Ｄｉｓｃｏｖｅｒｙ関連情報に含まれる無線リソースの情報及び／又は送信電力の情報に基づいてＤｉｓｃｏｖｅｒｙ信号を送信する際に用いる無線リソース及び送信電力を決定する。ＵＥ１００−１は、決定した無線リソース及び送信電力に基づいて、Ｄｉｓｃｏｖｅｒｙ信号の送信を開始する。
【００９５】
ＵＥ１００−１は、Ｄｉｓｃｏｖｅｒｙ信号を所定回数送信してもよいし、所定期間送信してもよい。ｅＮＢ２００−１は、この所定回数及び所定期間を示す情報をＤｉｓｃｏｖｅｒｙ関連情報に含めて、ブロードキャストで送信してもよいし、ユニキャストで送信してもよい。
【００９６】
ＵＥ１００−１は、所定回数又は所定期間のうちに、ＵＥ１００−２からＤｉｓｃｏｖｅｒｙ信号に対する応答信号（以下、Ｄｉｓｃｏｖｅｒｙ応答信号）を受信しなかった場合は、Ｄｉｓｃｏｖｅｒｙ信号の送信を停止してもよい。これにより、ＵＥ１００−１のバッテリの消費を抑制できる。
【００９７】
Ｄｉｓｃｏｖｅｒｙ信号には、Ｄｉｓｃｏｖｅｒｙ信号の送信元がＵＥ１００−１であることを示す識別情報及び／又はＤｉｓｃｏｖｅｒｙ信号の送信先がＵＥ１００−２であることを示す識別情報が含まれてもよい。
【００９８】
ＵＥ１００−２は、Ｄｉｓｃｏｖｅｒｙ信号を受信した場合、Ｄｉｓｃｏｖｅｒｙ応答信号をＵＥ１００−１に送信する。ＵＥ１００−１は、Ｄｉｓｃｏｖｅｒｙ応答信号を受信した場合、ＵＥ１００−２とＤ２Ｄ通信による接続をｅＮＢ２００−２へ要求する。
【００９９】
要求を受けたｅＮＢ２００−２は、スケジューリングを行う。具体的には、ＵＥ１００−１とＵＥ１００−２との間の通信（Ｄ２Ｄ通信）に使用する無線リソースの割り当てを行い、スケジューリング情報をＵＥ１００−１に送信する。スケジューリング情報は、ＵＥ１００−１とＵＥ１００−２との間のＤ２Ｄ通信に割り当てた無線リソースを示す情報である。
【０１００】
ＵＥ１００−１とＵＥ１００−２とは、Ｄ２Ｄリンクを確立するために用いられる情報の交換（ｎｅｇｏｔｉａｔｉｏｎ）を行う。Ｄ２Ｄリンクを確立するために用いられる情報とは、例えば、スケジューリング情報である。
【０１０１】
ＵＥ１００−１とＵＥ１００−２との間に、Ｄ２Ｄリンクが確立された場合、ＵＥ１００−１は、Ｄ２Ｄリンクが確立されたことをｅＮＢ２００−２へ報告する。
【０１０２】
報告を受けたｅＮＢ２００−２は、ＵＥ１００−１とＵＥ１００−２とのｅＮＢ２００−２を介した通信を終了する。
【０１０３】
（第１実施形態の変形例１）
次に、第１実施形態の変形例１に係る移動通信システムの動作について、図９を用いて説明する。なお、上述した第１実施形態と異なる部分を中心に説明し、同様の部分は、説明を適宜省略する。
【０１０４】
上述した第１実施形態では、ＵＥ１００−１がハンドオーバを実行した後に、ＵＥ１００−１とＵＥ１００−２とが近傍に存在するか否かの判断を行った。本変形例では、ＵＥ１００−１がハンドオーバを実行したか否かにかかわらず、ＵＥ１００−１とＵＥ１００−２とが近傍に存在するか否かの判断を行う。
【０１０５】
図９は、第１実施形態の変形例１に係る移動通信システムの動作例を示すシーケンス図である。
【０１０６】
図９において、ステップ２０１から２０３は、それぞれ第１実施形態のステップ１０１から１０３に対応する（図８参照）。
【０１０７】
図９に示すように、ステップ２０４において、ＵＥ１００−１は、ＵＥ１００−１とＵＥ１００−２とが近傍に存在するか否かの判断を行う。本実施形態において、ＵＥ１００−１は、セル２５０−２から送信される参照信号（例えば、ＲＳＲＰ）の受信レベルが所定の閾値に達した場合に、ＵＥ１００−１とＵＥ１００−２とが近傍に存在すると判断する。
【０１０８】
ここで、所定の閾値とは、例えば、セル２５０−２から送信される参照信号の受信レベルに関する測定値をｅＮＢ２００−１に報告するトリガー（Ｍｅａｓｕｒｅｍｅｎｔ  Ｒｅｐｏｒｔのトリガー）となる閾値である。例えば、ＵＥ１００−１がセル２５０−２にハンドオーバを実行した後に、セル２５０−２から送信される参照信号の受信レベルが所定の閾値よりも高くなった場合（イベントＡ１）に、ＵＥ１００−１は、ＵＥ１００−１とＵＥ１００−２とが近傍に存在すると判断する。または、ＵＥ１００−１が接続しているセル２５０−１から送信される参照信号（以下、第１参照信号と称する）の受信レベルをオフセットした所定の閾値よりも、ＵＥ１００−２が接続しているセル２５０−２から送信される参照信号（以下、第２参照信号と称する）の受信レベルが高くなった場合（イベントＡ３）、第２参照信号の受信レベルが所定の閾値よりも低くなった場合（イベントＡ４）、又は、第１参照信号の受信レベルが所定の第１閾値よりも低くなり、第２参照信号の受信レベルが所定の第２閾値よりも高くなった場合（イベントＡ５）のいずれかの場合に、ＵＥ１００−１は、ＵＥ１００−１とＵＥ１００−２とが近傍に存在すると判断してもよい。
【０１０９】
また、所定の閾値は、ｅＮＢ２００−１が指定した閾値であってもよい。ｅＮＢ２００−１は、指定した閾値を示す情報をブロードキャスト又はユニキャストで送信する。なお、ｅＮＢ２００−１は、ブロードキャストで送信する場合には、システム情報ブロック（ＳＩＢ）に指定した閾値を含めて送信してもよい。また、ｅＮＢ２００−１は、指定した閾値を示す情報をＤｉｓｃｏｖｅｒｙ関連情報に含めて送信してもよい。
【０１１０】
ＵＥ１００−１は、ＵＥ１００−１とＵＥ１００−２とが近傍に存在しないと判断した場合（ステップ２０４において、「Ｎｏ」の場合）には、Ｄｉｓｃｏｖｅｒｙ信号の送信を行わない。
【０１１１】
一方、ＵＥ１００−１は、ＵＥ１００−１とＵＥ１００−２とが近傍に存在すると判断した場合（ステップ２０４において、「Ｙｅｓ」の場合）には、ステップ２０５の処理を実行する。ステップ２０５は、第１実施形態のステップ１０６に対応する（図８参照）。
【０１１２】
（第１実施形態の変形例２）
次に、第１実施形態の変形例２に係る移動通信システムの動作について、図１０を用いて説明する。なお、上述した第１実施形態及び変形例と異なる部分を中心に説明し、同様の部分は、説明を適宜省略する。
【０１１３】
上述した第１実施形態では、ＵＥ１００−１は、ハンドオーバを実行する前にｅＮＢ２００−１からＤｉｓｃｏｖｅｒｙ関連情報を受信した。本変形例では、ＵＥ１００−１は、ハンドオーバを実行した後に、ｅＮＢ２００−２からＤｉｓｃｏｖｅｒｙ関連情報を受信する。
【０１１４】
図１０は、第１実施形態の変形例２に係る移動通信システムの動作例を示すシーケンス図である。
【０１１５】
図１０において、ステップ３０１及び３０２は、それぞれ第１実施形態のステップ１０１及び１０４に対応する（図８参照）。
【０１１６】
ｅＮＢ２００−２は、ｅＮＢ２００−２が管理するセル２５０−２へＵＥ１００−１がハンドオーバを実行したことにより、ＵＥ１００−１の接続するセルがセル２５０−２に変更したことを通信端末リストに記録し、通信端末リストを更新する。
【０１１７】
図１０に示すように、ステップ３０３において、ｅＮＢ２００−２は、Ｄｉｓｃｏｖｅｒｙ関連情報をセル識別情報と共にＵＥ１００−１へユニキャストで送信する。
【０１１８】
本変形例では、ｅＮＢ２００−２は、ｅＮＢ２００−２が管理するセル２５０−２にＵＥ１００−１がハンドオーバを実行したことをトリガーとして、ＵＥ１００−１にセル識別情報及びＤｉｓｃｏｖｅｒｙ関連情報をユニキャストで送信する。すなわち、ｅＮＢ２００−２は、ＵＥ１００−１がセル２５０−２にハンドオーバを実行した場合に、セル識別情報及びＤｉｓｃｏｖｅｒｙ関連情報を送信する。
【０１１９】
なお、ｅＮＢ２００−２は、セル識別情報とＤｉｓｃｏｖｅｒｙ関連情報とを別々に送信してもよい。
【０１２０】
ステップ３０４及びステップ３０５は、それぞれ第１実施形態のステップ１０５及び１０６に対応する（図８参照）。
【０１２１】
（第１実施形態の変形例３）
次に、第１実施形態の変形例３に係る移動通信システムの動作について、図１１を用いて説明する。なお、上述した第１実施形態及び各変形例と異なる部分を中心に説明し、同様の部分は、説明を適宜省略する。
【０１２２】
上述した第１実施形態では、ｅＮＢ２００−１（又はｅＮＢ２００−２）は、自ら主体的に、ＵＥ１００−１にＤｉｓｃｏｖｅｒｙ関連情報を送信していた。本変形例では、ｅＮＢ２００−２は、ＵＥ１００−１からＤｉｓｃｏｖｅｒｙ関連情報の要求があった場合に、Ｄｉｓｃｏｖｅｒｙ関連情報を送信する。
【０１２３】
図１１は、第１実施形態の変形例３に係る移動通信システムの動作例を示すシーケンス図である。
【０１２４】
図１１において、ステップ４０１及び４０２は、それぞれ第１実施形態のステップ１０１及び１０４に対応する（図８参照）。
【０１２５】
図１１に示すように、ステップ４０３において、ｅＮＢ２００−２は、ＵＥ１００−１にセル識別情報を送信する。
【０１２６】
ステップ４０４において、ＵＥ１００−１は、ＵＥ１００−１とＵＥ１００−２とが近傍に存在するか否かの判断を行う。
【０１２７】
ＵＥ１００−１は、ＵＥ１００−１とＵＥ１００−２とが近傍に存在しないと判断した場合（ステップ４０４において、「Ｎｏ」の場合）には、Ｄｉｓｃｏｖｅｒｙ信号の送信を行わない。
【０１２８】
一方、ＵＥ１００−１は、ＵＥ１００−１とＵＥ１００−２とが近傍に存在すると判断した場合（ステップ４０４において、「Ｙｅｓ」の場合）には、ステップ４０５の処理を実行する。
【０１２９】
ステップ４０５において、ＵＥ１００−１は、Ｄｉｓｃｏｖｅｒｙ関連情報をｅＮＢ２００−２に要求する。ｅＮＢ２００−２は、Ｄｉｓｃｏｖｅｒｙ関連情報の要求を受信する。
【０１３０】
ステップ４０６において、Ｄｉｓｃｏｖｅｒｙ関連情報の要求を受信したｅＮＢ２００−２は、Ｄｉｓｃｏｖｅｒｙ関連情報をＵＥ１００−１に送信する。ＵＥ１００−１は、Ｄｉｓｃｏｖｅｒｙ関連情報を受信する。
【０１３１】
ステップ４０７において、ＵＥ１００−１は、Ｄｉｓｃｏｖｅｒｙ関連情報に対応したＤｉｓｃｏｖｅｒｙ信号を送信する。
【０１３２】
（第１実施形態のまとめ）
本実施形態では、ＵＥ１００−１がＵＥ１００−２と通信を行っている間に、ＵＥ１００−１とＵＥ１００−２とが近傍に存在すると判断された場合には、ＵＥ１００−１は、Ｄｉｓｃｏｖｅｒｙ信号の送信を開始する。これにより、ＵＥ１００−１とＵＥ１００−２とが近傍に存在すると判断された場合、ＵＥ１００−２は、ＵＥ１００−１から送信されたＤｉｓｃｏｖｅｒｙ信号を受信する可能性が高い。従って、ＵＥ１００−１は、無駄なＤｉｓｃｏｖｅｒｙ信号を送信せずに済み、Ｄｉｓｃｏｖｅｒｙ信号を適切なタイミングで送信できる。
【０１３３】
加えて、ＵＥ１００−１は、無駄なＤｉｓｃｏｖｅｒｙ信号を送信せずに済むため、ＵＥ１００−１のバッテリの消費を抑制できる。
【０１３４】
また、本実施形態では、ｅＮＢ２００−１は、ＵＥ１００−２が接続する接続セルを示すセル識別情報をＵＥ１００−１に送信し、ＵＥ１００−１は、セル識別情報に基づいて、ＵＥ１００−１とＵＥ１００−２とが近傍に存在するか否かを判断する。これにより、ＵＥ１００−１自身がセル識別情報に基づいて判断するため、ＵＥ１００−１は、Ｄｉｓｃｏｖｅｒｙ信号を適切なタイミングで送信できる。
【０１３５】
また、本実施形態では、ＵＥ１００−１は、ＵＥ１００−２の接続セルにハンドオーバを実行した場合に、ＵＥ１００−１とＵＥ１００−２とが近傍に存在すると判断する。これにより、ＵＥ１００−１とＵＥ１００−２とが同一のセルに存在するため、ＵＥ１００−２は、ＵＥ１００−１の近傍にいる可能性が高い。従って、ＵＥ１００−２がＵＥ１００−１から送信されたＤｉｓｃｏｖｅｒｙ信号を受信する可能性が高く、ＵＥ１００−１は、Ｄｉｓｃｏｖｅｒｙ信号を適切なタイミングで送信できる。
【０１３６】
また、本実施形態では、ｅＮＢ２００−１は、Ｄｉｓｃｏｖｅｒｙ信号を送信する際に用いられる無線リソースの情報及び／又は送信電力の情報を含むＤｉｓｃｏｖｅｒｙ関連情報をＵＥ１００−１に送信し、ＵＥ１００−１は、Ｄｉｓｃｏｖｅｒｙ関連情報に対応したＤｉｓｃｏｖｅｒｙ信号を送信する。これにより、Ｄｉｓｃｏｖｅｒｙ信号がＵＥ１００−１の近傍に存在する別のＵＥ１００への干渉信号となることを抑制できる。
【０１３７】
本変形例１では、ＵＥ１００−１は、ｅＮＢ２００−２（セル２５０−２）から送信される参照信号の受信レベルが所定の閾値に達した場合に、ＵＥ１００−１とＵＥ１００−２とが近傍に存在すると判断する。これにより、ＵＥ１００−１は、ハンドオーバを実行していない場合（例えば、ＵＥ１００−１からのハンドオーバ要請がｅＮＢ２００−２に受理されなかった場合）であっても、ＵＥ１００−２が接続するセル２５０−２に存在すると判断可能な場合に、Ｄｉｓｃｏｖｅｒｙ信号を送信できるため、ＵＥ１００−１は、Ｄｉｓｃｏｖｅｒｙ信号を適切なタイミングで送信できる。
【０１３８】
また、本変形例１では、所定の閾値は、セル２５０−２からの参照信号の受信レベルに関する測定値をｅＮＢ２００−１に報告するトリガーとなる閾値である。測定値の報告のトリガーは、ハンドオーバの実行の目安として利用されるため、ＵＥ１００−１がセル２５０−２に存在する可能性が高く、ＵＥ１００−１とＵＥ１００−２とが同一のセルに存在する可能性が高い。従って、ＵＥ１００−１は、Ｄｉｓｃｏｖｅｒｙ信号を適切なタイミングで送信できる。
【０１３９】
また、本変形例１では、所定の閾値は、ｅＮＢ２００−１が指定した閾値である。これにより、ｅＮＢ２００−１は、Ｄｉｓｃｏｖｅｒｙ信号の送信タイミングを制御することができる。
【０１４０】
本変形例２では、ｅＮＢ２００−２は、ＵＥ１００−１がセル２５０−２にハンドオーバを実行した場合に、Ｄｉｓｃｏｖｅｒｙ関連情報をＵＥ１００−１に送信する。これにより、セル２５０−２にハンドオーバを実行したＵＥ１００−１は、セル２５０−２を管理するｅＮＢ２００−２からＤｉｓｃｏｖｅｒｙ関連情報を受信するため、ｅＮＢ２００−１からＤｉｓｃｏｖｅｒｙ関連情報を受信する場合に比べて、Ｄｉｓｃｏｖｅｒｙ関連情報を確実に受信することができる。
【０１４１】
また、本変形例２では、ｅＮＢ２００−２は、Ｄｉｓｃｏｖｅｒｙ関連情報をセル識別情報と共に送信する。これにより、ＵＥ１００−１は、受信したセル識別情報に基づいて、ＵＥ１００−２が近傍に存在すると判断した場合に、セル識別情報と共に送信されたＤｉｓｃｏｖｅｒｙ関連情報を用いてＤｉｓｃｏｖｅｒｙ信号の送信を開始することが可能となる。
【０１４２】
本変形例３では、ｅＮＢ２００−２は、ＵＥ１００−１からＤｉｓｃｏｖｅｒｙ関連情報の要求があった場合に、Ｄｉｓｃｏｖｅｒｙ関連情報を送信する。これにより、ｅＮＢ２００−２は、必要な場合にのみＤｉｓｃｏｖｅｒｙ関連情報を送信すればよいため、ｅＮＢ２００−２の負荷を低減させることができる。
【０１４３】
［第２実施形態］
（第２実施形態に係る移動通信システムの動作）
次に、第２実施形態に係る移動通信システムの動作について、図１２及び図１３を用いて説明する。なお、上述した第１実施形態及び各変形例と異なる部分を中心に説明し、同様の部分は、説明を適宜省略する。
【０１４４】
図１２Ａ及び図１２Ｂは、第２実施形態に係るＵＥ１００−１及びＵＥ１００−２の動作例を示す図である。具体的には、図１２Ａは、ＵＥ１００−１が移動する前の状態を示す図であり、図１２Ｂは、ＵＥ１００−１が移動した後の状態を示す図である。
【０１４５】
図１２Ａに示すように、ＵＥ１００−１及びＵＥ１００−２は、第１実施形態と同様に、ｅＮＢ２００−１及びｅＮＢ２００−２を介して通信（いわゆるセルラ通信）を行っている。
【０１４６】
本実施形態では、図１２Ａに示すように、ＵＥ１００−１が、図１２Ａ及び図１２Ｂに示すように、セル２５０−２の方向へ移動したＵＥ１００−１がセル２５０−２にハンドオーバを実行した後に、セル２５０−２に接続するＵＥ１００−２がＵＥ１００−１に対してＤｉｓｃｏｖｅｒｙ信号を送信したと仮定して説明する。
【０１４７】
図１３は、第２実施形態に係る移動通信システムの動作例を示すシーケンス図である。
【０１４８】
図１３において、ステップ５０１は、第１実施形態のステップ１０１に対応する（図８参照）。
【０１４９】
図１３に示すように、ステップ５０２において、ｅＮＢ２００−２は、ＵＥ１００−２にセル識別情報を送信する。
【０１５０】
ステップ５０３において、ｅＮＢ２００−２は、ＵＥ１００−２にＤｉｓｃｏｖｅｒｙ関連情報を送信する。ＵＥ１００−２は、Ｄｉｓｃｏｖｅｒｙ関連情報を受信する。
【０１５１】
ステップ５０４は、第１実施形態のステップ１０４に対応する（図８参照）。
【０１５２】
ステップ５０５において、ｅＮＢ２００−１及びｅＮＢ２００−２は、ＵＥ１００−１がハンドオーバを実行したことをトリガーとして、通信端末情報を交換する。ｅＮＢ２００−１及びｅＮＢ２００−２は、受信した通信端末情報を基に、それぞれが有する通信端末リストを更新する。
【０１５３】
ステップ５０６において、ｅＮＢ２００−２は、ＵＥ１００−２にセル識別情報を送信する。ｅＮＢ２００−２は、ＵＥ１００−１がハンドオーバを実行した場合に、セル識別情報をＵＥ１００−２に送信する。すなわち、ｅＮＢ２００−２は、ＵＥ１００−２の通信相手であるＵＥ１００−１の接続先が変更した場合に、セル識別情報をＵＥ１００−２に送信する。
【０１５４】
ステップ５０７において、ＵＥ１００−２は、ＵＥ１００−１とＵＥ１００−２とが近傍に存在するか否かの判断を行う。この判断は、第１実施形態のステップ１０５と同様である（図８参照）。
【０１５５】
ＵＥ１００−１とＵＥ１００−２とが近傍に存在しないと判断した場合（ステップ５０７において、「Ｎｏ」の場合）には、ＵＥ１００−２は、Ｄｉｓｃｏｖｅｒｙ信号の送信を行わない。
【０１５６】
一方、ＵＥ１００−１とＵＥ１００−２とが近傍に存在すると判断した場合（ステップ１０５において、「Ｙｅｓ」の場合）には、ステップ５０８において、ＵＥ１００−２は、Ｄｉｓｃｏｖｅｒｙ信号の送信を開始する。
【０１５７】
（第２実施形態の変形例）
次に、第２実施形態の変形例に係る移動通信システムの動作について、図１４を用いて説明する。なお、上述した第１及び第２実施形態及び各変形例と異なる部分を中心に説明し、同様の部分は、説明を適宜省略する。
【０１５８】
上述した第２実施形態では、ｅＮＢ２００−２は、セル識別情報をＵＥ１００−２に送信した。本変形例では、ｅＮＢ２００−２は、セル識別情報の他に、通信相手であるＵＥ１００−１がハンドオーバを実行したことを示す情報をＵＥ１００−２に送信する。
【０１５９】
図１４は、第２実施形態の変形例に係る移動通信システムの動作例を示すシーケンス図である。
【０１６０】
図１４において、ステップ６０１、６０２及び６０３は、それぞれ第２実施形態のステップ５０１、５０２及び５０４に対応する（図１３参照）。
【０１６１】
図１４に示すように、ステップ６０４において、ｅＮＢ２００−２は、相手端末ＨＯ情報及びＤｉｓｃｏｖｅｒｙ関連情報をＵＥ１００−２に送信する。ＵＥ１００−２は、相手端末ＨＯ情報及びＤｉｓｃｏｖｅｒｙ関連情報を受信する。
【０１６２】
ここで、相手端末ＨＯ情報とは、ＵＥ１００−２の通信相手であるＵＥ１００−１がハンドオーバを実行したことを示す情報である。
【０１６３】
相手端末ＨＯ情報を受信したＵＥ１００−２は、ＵＥ１００−１がセル２５０−１に接続していないことを認識できるため、ＵＥ１００−２がセル２５０−１へ移動したとしてもＤｉｓｃｏｖｅｒｙ信号の送信を開始せずに済む。
【０１６４】
なお、ｅＮＢ２００−２は、相手端末ＨＯ情報とＤｉｓｃｏｖｅｒｙ関連情報とを別々に送信してもよい。
【０１６５】
ステップ６０５から６０７は、それぞれ第２実施形態のステップ５０６から５０８に対応する（図１３参照）。
【０１６６】
（第２実施形態のまとめ）
本実施形態では、ｅＮＢ２００−２は、ＵＥ１００−１がハンドオーバを実行した場合に、セル識別情報をＵＥ１００−２に送信する。これにより、ＵＥ１００−２は、ＵＥ１００−１の接続先が変更したと判断できるため、ＵＥ１００−１がハンドオーバを実行する前のセル識別情報に基づいて、ＵＥ１００−２とＵＥ１００−１とが近傍に存在しているという誤った判断をすることがなくなる。従って、ＵＥ１００−２は、無駄なＤｉｓｃｏｖｅｒｙ信号を送信せずに済み、ＵＥ１００−２は、Ｄｉｓｃｏｖｅｒｙ信号を適切なタイミングで送信できる。
【０１６７】
また、本変形例では、ｅＮＢ２００−２は、ＵＥ１００−１がハンドオーバを実行した場合に、相手端末ＨＯ情報をＵＥ１００−２に送信する。これにより、上述の第２実施形態と同様に、ＵＥ１００−２は、ＵＥ１００−１とＵＥ１００−２とが近傍に存在しているという誤った判断をすることがなくなる。
【０１６８】
［第３実施形態］
（第３実施形態に係る移動通信システムの動作）
次に、第３実施形態に係る移動通信システムの動作について、図１５を用いて説明する。なお、上述した第１及び第２実施形態及び各変形例と異なる部分を中心に説明し、同様の部分は、説明を適宜省略する。
【０１６９】
第１及び２実施形態では、ＵＥ１００−１又はＵＥ１００−２がＵＥ１００−１とＵＥ１００−２とが近傍に存在するか否かの判断を行った。本実施形態では、ｅＮＢ２００−２がＵＥ１００−１とＵＥ１００−２とが近傍に存在するか否かの判断を行う。
【０１７０】
本実施形態では、第２実施形態と同様に、ＵＥ１００−１がセル２５０−２の方向へ移動し、ｅＮＢ２００−２にハンドオーバを実行した後に、ＵＥ１００−２がＤｉｓｃｏｖｅｒｙ信号を送信したと仮定して説明する（図１２Ａ及び図１２Ｂ参照）。
【０１７１】
図１５は、第３実施形態に係る移動通信システムの動作例を示すシーケンス図である。
【０１７２】
図１５において、ステップ７０１及び７０２は、それぞれ第２実施形態のステップ５０１及び５０４に対応する（図１３参照）。
【０１７３】
図１５に示すように、ステップ７０３において、ｅＮＢ２００−２は、ＵＥ１００−１とＵＥ１００−２とが近傍に存在するか否かの判断を行う。本実施形態において、ｅＮＢ２００−２は、ＵＥ１００−１の接続セルとＵＥ１００−２の接続セルとが同一である場合、すなわち、自セルであるセル２５０−２にＵＥ１００−１及びＵＥ１００−２が接続する場合に、ＵＥ１００−１とＵＥ１００−２とが近傍に存在すると判断する。ｅＮＢ２００−２は、通信管理リストに基づいて、ＵＥ１００−１が接続するセルとＵＥ１００−２が接続するセルとが同一であるか否かを判断する。
【０１７４】
ｅＮＢ２００−２は、ＵＥ１００−１及びＵＥ１００−２がセル２５０−２に接続していないと判断した場合、すなわち、ＵＥ１００−１とＵＥ１００−２とが近傍に存在しないと判断した場合（ステップ７０３において、「Ｎｏ」の場合）には、ＵＥ１００−２にＤｉｓｃｏｖｅｒｙ信号に関する情報を送信しない。ｅＮＢ２００−２は、ＵＥ１００−２にＤｉｓｃｏｖｅｒｙ信号を送信させない。
【０１７５】
一方、ｅＮＢ２００−２は、ＵＥ１００−１及びＵＥ１００−２がセル２５０−２に接続していると判断した場合、すなわち、ＵＥ１００−１とＵＥ１００−２とが近傍に存在すると判断した場合（ステップ７０３において、「Ｙｅｓ」の場合）には、ステップ７０４の処理を実行する。
【０１７６】
ステップ７０４において、ｅＮＢ２００−２は、同一セル情報及びＤｉｓｃｏｖｅｒｙ関連情報をＵＥ１００−２に送信する。ＵＥ１００−２は、同一セル情報及びＤｉｓｃｏｖｅｒｙ関連情報を受信する。
【０１７７】
ここで、同一セル情報とは、ＵＥ１００−１の接続セルとＵＥ１００−２の接続セルとが同一であることを示す情報である。同一セル情報は、ＵＥ１００−１とＵＥ１００−２とが近傍に存在することを示す情報として、ｅＮＢ２００−２から送信される。
【０１７８】
なお、同一セル情報を受信したＵＥ１００−２は、ＵＥ１００−１の接続セルとＵＥ１００−２の接続セルとが同一であるか否かを判断する必要がないため、同一セル情報には、接続セルを示す識別子が含まれなくても良い。
【０１７９】
ステップ７０５において、同一セル情報を受信したＵＥ１００−２は、Ｄｉｓｃｏｖｅｒｙ信号を送信する。すなわち、ＵＥ１００−２は、同一セル情報に基づいて、Ｄｉｓｃｏｖｅｒｙ信号の送信を開始する。
【０１８０】
（第３実施形態の変形例）
次に、第３実施形態の変形例に係る移動通信システムの動作について、図１６を用いて説明する。なお、上述した第１から第３実施形態及び各変形例と異なる部分を中心に説明し、同様の部分は、説明を適宜省略する。
【０１８１】
上述した第３実施形態では、ｅＮＢ２００−２は、同一セル情報をＵＥ１００−２に送信した。本変形例では、ｅＮＢ２００−２は、同一セル情報の代わりに、Ｄｉｓｃｏｖｅｒｙ信号を送信させるための要求をＵＥ１００−２に送信する。
【０１８２】
図１６は、第３実施形態の変形例に係る移動通信システムの動作例を示すシーケンス図である。
【０１８３】
図１６において、ステップ８０１から８０３は、それぞれ第３実施形態のステップ７０１から７０３に対応する（図１５参照）。
【０１８４】
図１６に示すように、ステップ８０４において、ｅＮＢ２００−２は、Ｄｉｓｃｏｖｅｒｙ要求及びＤｉｓｃｏｖｅｒｙ関連情報をＵＥ１００−２に送信する。
【０１８５】
ここで、Ｄｉｓｃｏｖｅｒｙ要求とは、ｅＮＢ２００が、ＵＥ１００に対して、Ｄｉｓｃｏｖｅｒｙ信号を送信させるための要求（指示）である。
【０１８６】
ステップ８０５において、Ｄｉｓｃｏｖｅｒｙ要求を受信したＵＥ１００−２は、Ｄｉｓｃｏｖｅｒｙ信号を送信する。すなわち、ＵＥ１００−２は、Ｄｉｓｃｏｖｅｒｙ要求に基づいて、Ｄｉｓｃｏｖｅｒｙ信号の送信を開始する。
【０１８７】
（第３実施形態のまとめ）
本実施形態及び変形例では、ｅＮＢ２００−２は、ＵＥ１００−２とＵＥ１００−１とが近傍に存在した場合に、同一セル情報又はＤｉｓｃｏｖｅｒｙ要求をＵＥ１００−２に送信し、ＵＥ１００−２は、同一セル情報又はＤｉｓｃｏｖｅｒｙ要求に基づいて、Ｄｉｓｃｏｖｅｒｙ信号の送信を開始する。これにより、ｅＮＢ２００−２は、Ｄｉｓｃｏｖｅｒｙ信号の送信タイミングを制御することができる。
【０１８８】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１８９】
上述した実施形態では、ｅＮＢ２００は、１つのセル２５０しか管理していなかったが、これに限られない。例えば、ｅＮＢ２００−１は、複数のセル２５０を管理していてもよい。この場合、ｅＮＢ２００−１は、セル２５０毎の複数の通信端末リスト及び隣接セルリストを有する。ｅＮＢ２００−１が管理する一のセル２５０にＵＥ１００−１が接続し、ｅＮＢ２００−１が管理する他のセル２５０にＵＥ１００−２が接続する場合であっても、上述した実施形態と同様に、ＵＥ１００−１又はＵＥ１００−２の移動によって、ＵＥ１００−１とＵＥ１００−２とが同一のセル２５０に存在すると判断された場合、ＵＥ１００−１は、Ｄｉｓｃｏｖｅｒｙ信号を送信してもよい。
【０１９０】
また、上述した実施形態では、ＵＥ１００又はｅＮＢ２００が、ＵＥ１００−１とＵＥ１００−２とが近傍に存在するか否かを判断していたが、これに限られない。例えば、ｅＮＢ２００の上位装置であるＭＭＥ／Ｓ−ＧＷ３００が当該判断を行ってもよい。この場合、ＭＭＥ／Ｓ−ＧＷ３００は、通信端末リスト及び隣接セルリストを有し、通信端末リスト及び隣接セルリストに基づいて、当該判断を行う。ＭＭＥ／Ｓ−ＧＷ３００は、ＵＥ１００−１とＵＥ１００−２とが近傍に存在すると判断した場合には、ＵＥ１００−１及びＵＥ１００−２が接続するセル２５０を管理するｅＮＢ２００に対して、ＵＥ１００−１又はＵＥ１００−２にＤｉｓｃｏｖｅｒｙ信号を送信させるように指示する。指示を受けたｅＮＢ２００は、第３実施形態と同様に、ＵＥ１００−１又はＵＥ１００−２に、同一セル情報又はＤｉｓｃｏｖｅｒｙ要求を送信する。
【０１９１】
また、上述した実施形態では、ＵＥ１００−１とＵＥ１００−２とが同一のセルに存在する場合に、ＵＥ１００−１とＵＥ１００−２とが近傍に存在すると判断されていたが、これに限られない。例えば、ＵＥ１００−１の位置情報とＵＥ１００−２の位置情報とからＵＥ１００−１とＵＥ１００−２とが近傍に存在すると判断されてもよい。
【０１９２】
また、上述した実施形態では、ＵＥ１００−１又はＵＥ１００−２の一方にセル識別情報を送信していたが、これに限られない。例えば、ＵＥ１００−１及びＵＥ１００−２が同一のセルに存在する場合には、当該セルを管理するｅＮＢ２００は、ＵＥ１００−１及びＵＥ１００−２にセル識別情報を送信してもよい。このため、ｅＮＢ２００は、同一のセル２５０にＵＥ１００どうしを存在させるために、ＵＥ１００にセル間周波数間ハンドオーバ（ｉｎｔｅｒ−ｃｅｌｌ  ｉｎｔｅｒ−ｆｒｅｑｕｅｎｃｙ  ＨＯ）を実行させてもよいし、セル間周波数内ハンドオーバ（ｉｎｔｅｒ−ｃｅｌｌ  ｉｎｔｒａ−ｆｒｅｑｕｅｎｃｙ  ＨＯ）をさせた後に、セル内周波数間ハンドオーバ（ｉｎｔｒａ−ｃｅｌｌ  ｉｎｔｅｒ−ｆｒｅｑｕｅｎｃｙ  ＨＯ）を実行させてもよい。この場合、ｅＮＢ２００は、ＵＥ１００から送信されるＭｅａｓｕｒｅｍｅｎｔ  Ｒｅｐｏｒｔの結果に基づいて、これらのハンドオーバの実行を要求してもよい。
【０１９３】
また、上述した実施形態において、ＵＥ１００は、Ｄｉｓｃｏｖｅｒｙ信号を送信するタイミングとｅＮＢ２００にデータを送信するタイミングとが重なった場合に、ｅＮＢ２００にデータを優先的に送信してもよい。すなわち、ＵＥ１００は、ｅＮＢ２００にデータを送信した後に、Ｄｉｓｃｏｖｅｒｙ信号を送信してもよい。これにより、Ｄｉｓｃｏｖｅｒｙ信号の送信と、ｅＮＢ２００へのデータ送信とが同時にできないＵＥ１００であっても、ｅＮＢ２００にデータを優先的に送信させることができるため、他のＵＥ１００との通信を妨げずに、Ｄｉｓｃｏｖｅｒｙ信号を送信できる。
【０１９４】
ＵＥ１００は、ｅＮＢ２００にデータを優先的に送信した場合には、ｅＮＢ２００にＤｉｓｃｏｖｅｒｙ関連情報要求してもよい。これにより、ＵＥ１００は、最新のＤｉｓｃｏｖｅｒｙ関連情報に基づいて、Ｄｉｓｃｏｖｅｒｙ信号を送信できるため、Ｄｉｓｃｏｖｅｒｙ信号がＵＥ１００の近傍に存在する他のＵＥ１００への干渉信号となることを抑制できる。
【０１９５】
また、ｅＮＢ２００は、自セルにおいて、Ｄｉｓｃｏｖｅｒｙ信号の送信に用いることが可能な無線リソースを示す情報をＸ２インターフェイス又はＳ１インターフェイスを介して隣接セルを管理するｅＮＢ２００に送信してもよい。また、ｅＮＢ２００は、隣接セルを管理する他のｅＮＢ２００に対して、隣接セルにおいてＤｉｓｃｏｖｅｒｙ信号の送信に用いることが可能な無線リソースを示す情報をｅＮＢ２００に送信するように要求してもよい。これにより、ｅＮＢ２００は、自セルだけでなく隣接セルにおいて、Ｄｉｓｃｏｖｅｒｙ信号を送信に用いることが可能な無線リソースを示す情報をＤｉｓｃｏｖｅｒｙ関連情報に含ませて、ＵＥ１００に送信可能であるため、隣接セルにおいて、Ｄｉｓｃｏｖｅｒｙ信号がＵＥ１００の近傍に存在する他のＵＥ１００への干渉信号となることを抑制できる。なお、無線リソースだけなく、Ｄｉｓｃｏｖｅｒｙ関連情報に含める送信電力等の他の情報をｅＮＢ２００と他のｅＮＢ２００とは、交換してもよい。
【０１９６】
また、ｅＮＢ２００は、隣接セルリストに記載された隣接セルを管理する他のｅＮＢ２００と、Ｘ２インターフェイス又はＳ１インターフェイスを介して、定期的又は不定期に記録された通信端末情報を交換し、通信端末リストを更新してもよい。例えば、ｅＮＢ２００は、自セルのＵＥ１００がハンドオーバを実行した場合に、通信端末情報を交換し、通信端末リストを更新してもよい。
【０１９７】
また、ｅＮＢ２００が他のｅＮＢ２００のセルの範囲内に設置されている場合、ｅＮＢ２００が管理するセルに接続するＵＥ１００がｅＮＢ２００と通信する際に必要な送信電力よりもＤｉｓｃｏｖｅｒｙ信号の送信電力の方が小さくなるように、Ｄｉｓｃｏｖｅｒｙ信号の送信電力が決定されてもよい。
【０１９８】
また、上述した第２実施形態において、ｅＮＢ２００は、他のＵＥ１００がハンドオーバを実行した場合に、相手端末ＨＯ情報を自セルのＵＥ１００に送信してからセル識別情報を送信したが、ｅＮＢ２００は、相手端末ＨＯ情報とともに、セル識別情報を送信してもよい。なお、ｅＮＢ２００は、他のＵＥ１００が隣接セルリストに記録されていないセルにハンドオーバを実行した場合には、他のＵＥ１００が隣接セルに存在しないことを示す情報を自セルのＵＥ１００に送信してもよい。
【０１９９】
また、上述した第３実施形態において、ｅＮＢ２００−２は、ＵＥ１００−２にセル識別情報、相手端末ＨＯ情報又は同一セル情報を送信して、ＵＥ１００−１とＵＥ１００−２とが近傍に存在することをＵＥ１００−２に知らせていたが、これに限られない。例えば、ｅＮＢ２００−２は、Ｄｉｓｃｏｖｅｒｙ関連情報を送信することによりＵＥ１００−１とＵＥ１００−２とが近傍に存在することをＵＥ１００−２に知らせてもよい。具体的には、ｅＮＢ２００−２は、ＵＥ１００−１とＵＥ１００−２とが近傍に存在すると判断した場合、近傍に存在すると判断されたＵＥ１００−２（又は／及びＵＥ１００−１）にのみ、Ｄｉｓｃｏｖｅｒｙ関連情報を送信してもよい。この場合、ｅＮＢ２００−２は、Ｄｉｓｃｏｖｅｒｙ関連情報をブロードキャストで送信しない。Ｄｉｓｃｏｖｅｒｙ関連情報を受信したＵＥ１００−２は、Ｄｉｓｃｏｖｅｒｙ関連情報を受信したことによって、ＵＥ１００−１とＵＥ１００−２とが近傍に存在すると判断できる。従って、ＵＥ１００−２は、Ｄｉｓｃｏｖｅｒｙ関連情報を受信したことをトリガーとして、Ｄｉｓｃｏｖｅｒｙ信号の送信を開始できる。これにより、ｅＮＢ２００−２は、Ｄｉｓｃｏｖｅｒｙ関連情報以外のＵＥ１００−１とＵＥ１００−２とが近傍に存在することを示す情報を送信することを省略できる。
【０２００】
上述した実施形態及び変形例は、適宜組み合わせてもよい。例えば、ｅＮＢ２００が通信中のＵＥ１００どうしが近傍に存在すると判断した場合に、ＵＥ１００にセル識別情報を送信し、ＵＥ１００は、セル識別情報に基づいて、セルから送信される参照信号の受信レベルが所定の閾値に達した場合に、Ｄｉｓｃｏｖｅｒｙ信号を送信してもよい。
【０２０１】
なお、上述した実施形態及び変形例では、特に言及していないがＬｏｃａｌｌｙ  Ｒｏｕｔｅｄモード（局所中継モード）の場合においても、上述した実施形態又は変形例のいずれかと同様のトリガーでＤ２Ｄ通信の送信を開始できる。この場合、ＵＥ１００は、Ｄｉｓｃｏｖｅｒｙ信号の送受信を行う必要がない。
【０２０２】
また、上述した実施形態及び変形例では、特に言及していないが、Ｄｉｓｃｏｖｅｒｙ信号を受信するＵＥ１００は、Ｄｉｓｃｏｖｅｒｙ信号が送信されるタイミングをｅＮＢ２００から通知されてもよい。
【０２０３】
上述した実施形態では、本発明をＬＴＥシステムに適用する一例を説明したが、ＬＴＥシステムに限定されるものではなく、ＬＴＥシステム以外のシステムに本発明を適用してもよい。
【０２０４】
なお、米国仮出願第６１／７４８３００号（２０１３年１月２日出願）の全内容が、参照により、本願明細書に組み込まれている。
【産業上の利用可能性】
【０２０５】
以上のように、本発明に係る移動通信システム、ユーザ端末、基地局及びプロセッサは、適切なタイミングで発見用信号を送信できるため、移動通信分野において有用である。
【要約】
ユーザ端末は、前記ユーザ端末の近傍に存在する他のユーザ端末を発見するための発見用信号を送信するための情報を基地局へ送信する送信部と、前記基地局から、前記発見用信号を送信する際に用いられる無線リソースの情報と、前記発見用信号を送信する際に用いられる送信電力の情報とを受信する受信部と、を備える。
【選択図】図11【図１】
0005898396.tif 000002
【図２】
0005898396.tif 000003
【図３】
0005898396.tif 000004
【図４】
0005898396.tif 000005
【図５】
0005898396.tif 000006
【図６】
0005898396.tif 000007
【図７】
0005898396.tif 000008
【図８】
0005898396.tif 000009
【図９】
0005898396.tif 000010
【図１０】
0005898396.tif 000011
【図１１】
0005898396.tif 000012
【図１２】
0005898396.tif 000013
【図１３】
0005898396.tif 000014
【図１４】
0005898396.tif 000015
【図１５】
0005898396.tif 000016
【図１６】
0005898396.tif 000017